(57)【特許請求の範囲】
【請求項１】
複数個のゲートラインと複数個のデータラインが直交するように配列され、前記ゲートラインと前記データラインの交差部にＴＦＴが形成され、前記ゲートラインと前記データラインにより限定された画素領域内には画素電極が形成されたアレイ基板と、
前記アレイ基板と合着され、前記画素領域に対応してカラーフィルターが形成され、画素境界部に対応してブラックマトリックスが形成され、前記カラーフィルター及び前記ブラックマトリックスを含んだ全面に相対電極が形成されたカラーフィルター基板と、
前記アレイ基板と前記カラーフィルター基板に挟まれた、複数個の液晶分子で構成された液晶層と、を含む液晶表示素子において、
前記画素電極は、全体的には長方形状であり、その２つ以上の縁に前記ゲートライン又はデータラインに突出することなく、かつ、前記ブラックマトリックス領域内に複数個の鋭角チップ（Ｔｉｐ）が形成されていることを特徴とする液晶表示素子。
【請求項２】
前記チップは、前記データラインまたは前記ゲートラインと隣接する、一つ以上の画素電極の縁に形成されていることを特徴とする請求項１に記載の液晶表示素子。
【発明の詳細な説明】
【０００１】
【発明の属する技術分野】
本発明は、液晶表示素子に係り、より詳細には、画素内に存在するイオンによる異常光漏れ現象を防止して画面品位を向上させることができる液晶表示素子に関するものである。
【０００２】
【従来の技術】
液晶表示素子（Ｌｉｑｕｉｄ  Ｃｒｙｓｔａｌ  Ｄｉｓｐｌａｙ：以下、ＬＣＤと称する）はＣＲＴ（Ｃａｔｈｏｄｅ−ｒａｙ  ｔｕｂｅ）と比較して軽量、薄型及び低消費電力を実現することができるために前記ＣＲＴに代わって各種情報機器の端末機及びビデオ機器等に使用されてきた。
【０００３】
また、マトリックス形態に配列された各画素ごとにスイッチング素子としてＴＦＴ（Ｔｈｉｎ  Ｆｉｌｍ  Ｔｒａｎｓｉｓｔｏｒ）を具備する方式のＬＣＤは、最近になって広視野角（ｗｉｄｅ  ｖｉｅｗｉｎｇ  ａｎｇｌｅ）を確保しながらカラーシフト（ｃｏｌｏｒ  ｓｈｉｆｔ）現象を防止することができ、前記ＣＲＴに匹敵する高画質を達成するようになり、それで、ノートブックＰＣ及びデスクトップ用モニター市場で大きく脚光を浴び、ＴＶにまでその利用範囲を広げている。
【０００４】
通常、ＬＣＤは各画素にＴＦＴと画素電極とが形成されたアレイ基板と、カラーフィルターと相対電極が形成されたカラーフィルター基板、及びこれらの基板に挟まれた液晶層で構成される。そして、前記ＬＣＤは画素電極及び相対電極に供給される電圧によって液晶層内の液晶分子が駆動されて所定の画像を表示する。
【０００５】
図１は従来ＬＣＤの画素構造を図示した平面図である。図１に示すように、複数個のゲートライン２と複数個のデータライン４が直交するように配列される。ゲート絶縁膜（図示せず）がゲートライン２とデータライン４との間の電気的絶縁のためにそれらの間に置かれる。
【０００６】
ＴＦＴ１０が各画素の駆動を独立に制御するためにゲートライン２とデータライン４との交差点付近に形成される。ここで、ＴＦＴ１０はゲートライン２の一部であるゲート電極と、前記ゲート電極のパターンの形に形成された半導体層（図示せず）と、前記半導体層の一部と各々オーバーラップするように形成されたソース電極４ａ、ドレーン電極４ｂを含む。例えば、ソース電極４ａは島（ｉｓｌａｎｄ）の形をとり、前記ドレーン電極４ｂはデータライン４から引出された形をとる。
【０００７】
保護膜（図示せず）が基板全面上に形成される。ＩＴＯ（Ｉｎｄｉｕｍ  Ｔｉｎ  Ｏｘｉｄｅ）のような透明金属からなる画素電極６がゲートライン２とデータライン４とにより限定された画素領域内に、例えば、ソース電極４ａとコンタクトするように形成される。前記画素電極６は長方形の形をとり、画素内部の全領域で同一電圧により均一な電界を形成する。
【０００８】
カラーフィルター基板は、前記の構造を有するアレイ基板の上部に対向配置される。前記カラーフィルター基板は、前記アレイ基板の各画素に対応して形成されたレッド、グリーン及びブルーのカラーフィルター（図示せず）と、画素の境界部、すなわち、ゲートライン２とデータライン４の上部に該当する領域に形成されたブラックマトリックス１２と、前記カラーフィルター及びブラックマトリックス１２を含む全領域上に形成された相対電極（図示せず）を含む。
【０００９】
図示しなかったが、複数個の液晶分子からなる層が前記アレイ基板と前記カラーフィルター基板との間に置かれる。
【００１０】
しかし、前記従来のＬＣＤでは、内部に含まれているイオンが望みの大きさの電圧供給を妨害するため、映像信号電圧が歪曲され、残像発生などの異常光漏れ現象が発生し、画面品位を低下する。
【００１１】
もともと、前記アレイ基板の画素電極と前記カラーフィルター基板の相対電極の形状は共に長方形で平行して置いてあり、両者間に同一電圧を加える限り、画素内で特別に他より強い電界が形成される領域がないようにしてある。
【００１２】
しかし、ＬＣＤの内部には原材料段階からイオンが含まれ、製造工程でさらにイオンが追加される。この状態で、映像信号電圧が印加されると、画素内のイオンは印加電圧のＤＣ成分による電界により画素内部に均一に吸着される。画素内の液晶分子は、前記画素内に均一に吸着されたイオンにより歪曲された、映像信号電圧によるもとの電界と異なる電界を受ける。この結果、液晶の望ましくない動作が誘発されて残像などの異常光漏れ現象が現れる。
【００１３】
【先行技術文献】
【特許文献１】
特開平１０−１３０５３７
【００１４】
【発明が解決しようとする課題】
したがって本発明の目的は、液晶層の内部に含まれていたイオンによる異常光漏れ現象を防止して画面品位を向上したＬＣＤを提供することにある。
【００１５】
【課題を解決するための手段】
前記の課題を解決するためになされた本発明による液晶表示素子（ＬＣＤ）は、複数個のゲートラインと複数個のデータラインが直交するように配列され、前記ゲートラインと前記データラインの交差部にＴＦＴが形成され、前記ゲートラインと前記データラインにより限定された画素領域内に画素電極が形成されたアレイ基板と、前記アレイ基板と合着され、前記画素領域に対応してカラーフィルターが形成され、画素境界部に対応してブラックマトリックスが形成され、前記カラーフィルター及び前記ブラックマトリックスを含んだ全面に相対電極が形成されたカラーフィルター基板と、前記アレイ基板と前記カラーフィルター基板に挟まれた、複数個の液晶分子で構成された液晶層と、を含む液晶表示素子において、前記画素電極は、全体的には長方形状であり、その２つ以上の縁に前記ゲートライン又はデータラインに突出することなく、かつ、前記ブラックマトリックス領域内に複数個の鋭角チップ（Ｔｉｐ）が形成されていることを特徴とする。
【００１６】
ここで、前記チップは前記データラインまたは前記ゲートラインと隣接する一つ以上の画素電極の縁に形成されていることが好ましい。
【００１７】
以上のような本発明の目的及び別の特徴及び長所などは、次に参照する本発明の好適な実施例に対する以下の説明から明確になるであろう。
【００１８】
【発明の実施の形態】
本発明の目的と利点は次の詳細な説明及び添付した図２を参照するとさらによく分かることである。
【００１９】
図２は本発明の実施例によるＬＣＤの画素構造を図示した平面図である。
図２を参照すれば、アレー基板には、複数個のゲートライン２２と複数個のデータライン２４が直交するように配列される。ゲート絶縁膜（図示せず）がゲートライン２２とデータライン２４の間にそれらの電気的絶縁を目的として形成される。
【００２０】
各画素の駆動を独立に制御するためのＴＦＴ３０がゲートライン２２とデータライン２４の交差点の付近に形成される。前記ＴＦＴ１０はゲートライン２２の一部であるゲート電極と、前記ゲート電極上にパターンの形態で形成された半導体層（図示せず）と、前記半導体層の一側及び他側端部と各々オーバーラップするように形成されたソース電極２４ａ，ドレーン電極２４ｂを含む。例えば、前記ソース電極２４ａは島（ｉｓｌａｎｄ）の形態であり、前記ドレーン電極２４ｂはデータライン２４から引出された形態である。
【００２１】
保護膜（図示せず）がＴＦＴ３０を保護するように前述した構造物上に形成される。ＩＴＯのような透明金属でなされた画素電極２６がゲートライン２２とデータライン２４により限定された画素領域内に、例えば、ソース電極２４ａとコンタクトするように形成される。
【００２２】
カラーフィルター基板は前記アレイ基板の上部に対向配置される。前記カラーフィルター基板は各画素に対応して形成されたカラーフィルター（図示せず）と、画素の境界部に該当するゲートライン２２とデータライン２４の上部領域に形成されたブラックマトリックス３２と、前記カラーフィルター及びブラックマトリックス３２を含んだ全領域上に形成された相対電極（図示せず）を含む。
【００２３】
複数個の液晶分子らで構成された液晶層が前記したアレイ基板とカラーフィルター基板との間に置かれる。
【００２４】
前記の、本発明による画素電極２６は全体的に長方形状であるが、その縁に複数個の鋭角チップ（Ｔｉｐ）が形成された構造を有する。この時、前記鋭角のチップ２６ａはブラックマトリックス３２領域の内部、すなわち、使用者がカラーフィルター基板の前面からＬＣＤを見る時、前記ブラックマトリックス３２により隠される領域に形成される。前記鋭角のチップ２６ａは望ましくはゲートライン２２またはデータライン２４と隣接する一つ以上の領域に形成される。
【００２５】
前記画素構造においては、画素電極への映像信号電圧供給時に同一電圧を印加しても、チップ形成領域とそれ以外の領域（以下、内部領域と称する）では異なる大きさの電界が形成される。何故なら、所定電圧が導体に印加される時、導体の形状が小さな角を有する近傍では大きい電界が形成される原理によって、チップ形成領域の近傍には内部領域より大きい電界が形成される、からである。
【００２６】
この場合、画素電極に映像信号電圧を印加し続けると、画素内部に存在するイオンはより大きい電界が形成されたチップ形成領域に誘導されて前記チップ形成領域に吸着され、このように吸着されたイオンにより前記チップ形成領域では、映像信号電圧による電界が歪曲されるが、前記チップ形成領域はブラックマトリックス内部領域にあり、したがって、ブラックマトリックスにより隠される領域であるために、歪曲された電界による画面は使用者には見えない。
【００２７】
結局、本発明によれば、映像信号電圧による電界の歪曲が生じる領域を使用者に見えないブラックマトリックスの内部領域に限定するよう、内部に含まれていたイオンを誘導できるので、内部に含まれていたイオンによる異常光漏れ現象を効果的に防止することができる。
【００２８】
【発明の効果】
以上のように本発明のＬＣＤによれば、原材料及び製造工程で内部に存在するようになるイオンをブラックマトリックス内部に誘導することによって、長時間駆動、印加映像信号にＤＣ成分がある時に発生する、液晶駆動電圧による電界の歪曲現象を防止することができ、これに伴い、優秀な画面表示が可能になる。
【００２９】
その他、本発明はその要旨を逸脱しない範囲で多様に変更して実施することができる。
【図面の簡単な説明】
【図１】従来ＬＣＤの画素構造を図示した平面図である。
【図２】本発明の実施例によるＬＣＤの画素構造を図示した平面図である。
【符号の説明】
２、２２      ゲートライン
４、２４      データライン
４ａ、２４ａ  ソース電極
４ｂ、２４ｂ  ドレーン電極
６、２６      画素電極
２６ａ        チップ
１０、３０    薄膜トランジスター
１２、３２    ブラックマトリックス
【図１】
0003764908.tif 000002
【図２】
0003764908.tif 000003